(57)【要約】【課題】  ３枚以上のレンズで構成された撮像光学系のレンズ間相互の光軸方向と光軸直交方向の双方の正確な位置決めを可能とし、撮像素子の高画素化に容易に対応可能なレンズユニット及びレンズユニットを備えた撮像装置を得る。【解決手段】  各レンズは、光学有効面以外の部位に他のレンズと当接する当接部が一体的に形成され、各レンズの当接部がそれぞれ当接し、かつ、各レンズの光軸が一致した状態で接着固定し一体化する、又は、少なくとも１枚のレンズは、他のレンズと当接した状態で、摺動可能に形成し、調心後に接着固定し一体化したレンズユニットとする。【選択図】        図５
2005018024.tif 000002
【特許請求の範囲】
【請求項１】
少なくとも３枚のレンズで構成されたレンズユニットであって、
該レンズユニットを構成するレンズは、それぞれ光学有効面以外の部位に他のレンズと当接する当接部が一体的に形成され、
前記レンズユニットを構成する各レンズの当接部がそれぞれ当接し、かつ、各レンズの光軸が一致した状態で接着固定し一体化したことを特徴とするレンズユニット。
【請求項２】
少なくとも３枚のレンズで構成されたレンズユニットであって、
該レンズユニットを構成するレンズは、それぞれ光学有効面以外の部位に他のレンズと当接する当接部が一体的に形成され、
前記レンズユニットを構成するレンズのうち、少なくとも１枚のレンズは、他のレンズと当接した状態で、光軸に垂直な方向に摺動可能となるよう形成され、調心をおこなった後に接着固定し一体化したことを特徴とするレンズユニット。
【請求項３】
前記光軸に垂直な方向に摺動可能となるよう形成されたレンズの、摺動可能な量をＣとすると、
２０μｍ≦Ｃ≦３００μｍ
を満足するよう形成されていることを特徴とする請求項２に記載のレンズユニット。
【請求項４】
前記他のレンズと前記光軸に垂直な方向に摺動可能となるよう形成されたレンズのうちの一方のレンズは、偏心した時の誤差感度が最も高いレンズであることを特徴とする請求項２又は３に記載のレンズユニット。
【請求項５】
前記レンズユニットにおいて、光軸に垂直な方向に摺動可能となされた当接部が１箇所であることを特徴とする請求項４に記載のレンズユニット。
【請求項６】
前記レンズユニットを構成するレンズは、金型により成形されたものであることを特徴とする請求項１〜５のいずれか１項に記載のレンズユニット。
【請求項７】
前記レンズユニットを構成するレンズのうち、最も像面に近いレンズの光学有効面以外の部位に、該レンズの像面側の光学有効面よりも突出した突起部を形成したことを特徴とする請求項１〜６のいずれか１項に記載のレンズユニット。
【請求項８】
前記レンズユニットを構成するレンズは、像面側から、その光学有効面の直径の大きい順に配置されていることを特徴とする請求項１〜７のいずれか１項に記載のレンズユニット。
【請求項９】
請求項１〜８のいずれか１項に記載のレンズユニットを備えたことを特徴とする撮像装置。
【請求項１０】
請求項９に記載の撮像装置を備えたことを特徴とする携帯端末。
【発明の詳細な説明】
【技術分野】
【０００１】
本発明は、撮像素子を備えた撮像装置、特に携帯端末等に内蔵される撮像装置に好適な小型薄型のレンズユニットに関するものである。
【背景技術】
【０００２】
従来より小型で薄型の撮像装置が、携帯電話機やＰＤＡ（Ｐｅｒｓｏｎａｌ  Ｄｉｇｉｔａｌ  Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
これらの撮像装置に使用される撮像素子としては、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が使用されている。
【０００４】
この携帯端末用の撮像装置として、プラスチック材料で成形されたレンズを２枚用い、一方のレンズのフランジ部内周部と他方のレンズのフランジ部外周部とを同径で且つ光軸に平行にして係合させ、２枚のレンズの光軸直交方向の位置決めをおこなうものが開示されている（例えば、特許文献１参照）。
【特許文献１】特開２００２−３４１２１８号公報（第９図）
【発明の開示】
【発明が解決しようとする課題】
【０００５】
上述の携帯端末に搭載される撮像装置も、普及率の増大に伴い高画質化が要望され、高画素数の撮像素子を搭載した撮像装置が要望されている。
【０００６】
これらに使用される撮像光学系は、レンズ間相互の光軸方向と光軸直交方向の双方に正確な位置決めが必要とされ、このレンズ間相互の位置決めは、撮像素子の高画素数化、即ち、画素ピッチの縮小化に伴い、従来より更に厳しい精度が要求されている。
【０００７】
このような要求に対し、上記特許文献１に記載の撮像装置の構成では、光軸に直交する方向の位置決めは可能であるが、光軸方向の位置決め即ちレンズ間相互の間隔は、間に挟まれた絞り板の厚み方向のばらつきに応じて変化することになり、２枚のレンズで構成された光学系の場合には許容範囲内とできても、構成枚数が３枚以上に増加し、レンズの間に挟まれた絞り板の枚数が増加すると、これに伴い誤差要因が増加し、組み立て後の光学性能がばらつくという問題となる。
【０００８】
また、高画素数の撮像素子の搭載に対応して、撮像光学系を高解像力とするために撮像光学系を構成するレンズは、より多数枚化され、２枚では所望の性能が得られず３枚以上の構成のものも提案されるようになっており、上述のレンズ間相互の光軸方向と光軸直交方向の双方の正確な位置決めは更に重要なものとなってきている。
【０００９】
本発明は上記問題に鑑み、３枚以上のレンズで構成された撮像光学系のレンズ間相互の光軸方向と光軸直交方向の双方の正確な位置決めを可能とし、撮像素子の高画素化に容易に対応可能なレンズユニット及びこのレンズユニットを備えた撮像装置を得ることを目的とするものである。
【課題を解決するための手段】
【００１０】
上記の目的は、以下の構成により解決される。
【００１１】
１）  少なくとも３枚のレンズで構成されたレンズユニットであって、該レンズユニットを構成するレンズは、それぞれ光学有効面以外の部位に他のレンズと当接する当接部が一体的に形成され、前記レンズユニットを構成する各レンズの当接部がそれぞれ当接し、かつ、各レンズの光軸が一致した状態で接着固定し一体化したことを特徴とするレンズユニット。
【００１２】
２）  少なくとも３枚のレンズで構成されたレンズユニットであって、該レンズユニットを構成するレンズは、それぞれ光学有効面以外の部位に他のレンズと当接する当接部が一体的に形成され、前記レンズユニットを構成するレンズのうち、少なくとも１枚のレンズは、他のレンズと当接した状態で、光軸に垂直な方向に摺動可能となるよう形成され、調心をおこなった後に接着固定し一体化したことを特徴とするレンズユニット。
【００１３】
３）  前記光軸に垂直な方向に摺動可能となるよう形成されたレンズの、摺動可能な量をＣとすると、
２０μｍ≦Ｃ≦３００μｍ
を満足するよう形成されている２）のレンズユニット。
【００１４】
４）  前記他のレンズと前記光軸に垂直な方向に摺動可能となるよう形成されたレンズのうちの一方のレンズは、偏心した時の誤差感度が最も高いレンズである２）又は３）のレンズユニット。
【００１５】
５）  前記レンズユニットにおいて、光軸に垂直な方向に摺動可能となされた当接部が１箇所である４）のレンズユニット。
【００１６】
６）  前記レンズユニットを構成するレンズは、金型により成形されたものである１）〜５）のいずれかのレンズユニット。
【００１７】
７）  前記レンズユニットを構成するレンズのうち、最も像面に近いレンズの光学有効面以外の部位に、該レンズの像面側の光学有効面よりも突出した突起部を形成した１）〜６）のいずれかのレンズユニット。
【００１８】
８）  前記レンズユニットを構成するレンズは、像面側から、その光学有効面の直径の大きい順に配置されている１）〜７）のいずれかのレンズユニット。
【００１９】
９）  １）〜８）のいずれかのレンズユニットを備えた撮像装置。
【００２０】
１０）  ９）の撮像装置を備えた携帯端末。
【発明の効果】
【００２１】
本発明によれば、少なくとも３枚のレンズで構成されたレンズユニットであって、レンズユニットを構成するレンズは、それぞれ光学有効面以外の部位に他のレンズと当接する当接部が一体的に形成され、レンズユニットを構成する各レンズの当接部がそれぞれ当接し、かつ、各レンズの光軸が一致した状態で接着固定し一体化したレンズユニット、とすることにより、３枚以上のレンズで構成されたレンズユニットのレンズ間相互の光軸方向と光軸直交方向の双方の正確な位置決めを可能とし、他の部材、例えばこれらレンズを保持する鏡枠が不要とできるため、誤差の介入が無く、誤差を最少に抑えた個体差ばらつきの極めて少ない、レンズユニットを低コストで得ることができる。
【００２２】
また、少なくとも３枚のレンズで構成されたレンズユニットであって、レンズユニットを構成するレンズは、それぞれ光学有効面以外の部位に他のレンズと当接する当接部が一体的に形成され、レンズユニットを構成するレンズのうち、少なくとも１枚のレンズは、他のレンズと当接した状態で、光軸に垂直な方向に摺動可能となるよう形成され、調心をおこなった後に接着固定し一体化したレンズユニット、とすることにより、３枚以上のレンズで構成されたレンズユニットのレンズ間相互の光軸方向と光軸直交方向の双方の位置決めをより正確にすることを可能とし、同様に、これらレンズを保持する鏡枠が不要なため、組み立て後の個体差ばらつきの極めて少ない、レンズユニットを低コストで得ることができる。
【００２３】
更に、調心するレンズの摺動量を２０μｍ以上３００μｍ以下に設定し形成することが好ましく、調心に必要な量を確保しつつ、摺動による余裕量を最少に抑えることができ、レンズユニットの大型化を防ぐことができる。
【００２４】
また、調心するレンズは、偏心した時の誤差感度が最も高いレンズとすることが好ましく、摺動可能となされた当接部を１箇所とすることができ、調心の工数を最少にして、最も効率よく光学性能を向上させることができ、低コストで個体差ばらつきの極めて少ない、レンズユニットを得ることができる。
【００２５】
また、上記のレンズユニットを構成するレンズは、金型により成形することが好ましく、高寸法精度で当接部及び嵌合部等を一体で形成でき低コスト化することが可能となる。
【００２６】
更に、上記のレンズユニットを構成するレンズのうち、最も像面に近いレンズの光学有効面以外の部位に、像面側の光学有効面よりも突出した突起部を形成することが好ましく、接着固定され一体化されたレンズユニットを取り置いた際に、この突起によりレンズユニットが支持され、光学有効面の接触を防止し傷等から保護することができる。
【００２７】
更に、上記のレンズユニットを構成するレンズは、像面側から、その光学有効面の直径の大きい順に配置されることが好ましく、これにより、直径差を利用して当接部、嵌合部又は摺動部を効率よく形成でき、レンズユニットの直径を小さく保つことができる。
【００２８】
上記のいずれかのレンズユニットを備えた撮像装置とすることにより、上述の効果を有する撮像装置が得られるようになる。
【００２９】
更に、この撮像装置を備えた携帯端末とすることにより、上述の効果を有する撮像装置を備えた携帯端末を得られるようになる。
【発明を実施するための最良の形態】
【００３０】
以下、実施の形態により本発明を詳しく説明するが、本発明はこれに限定されるものではない。
【００３１】
図１は、本発明の撮像装置を内蔵した携帯端末の一例である携帯電話機Ｔの外観を示す図である。
【００３２】
図１に示す携帯電話機Ｔは、表示画面Ｄを備えたケースとしての上筐体７１と、操作ボタンＰを備えた下筐体７２とがヒンジ７３を介して連結されている。撮像装置Ｓは、上筐体７１内の表示画面Ｄの下方に内蔵されており、撮像装置Ｓが上筐体７１の外表面側から光を取り込めるよう配置されている。
【００３３】
上筐体７１の表示画面Ｄの下方には、円弧状の開口部７４とこの開口部７４から操作部材１５が露出するよう配置されている。この操作部材１５を開口部７４内で図示上方へ移動させることによりマクロ撮影時のピント位置に設定される。
【００３４】
なお、この撮像装置の位置は上筐体７１内の表示画面Ｄの上方や側面に配置してもよいし、操作部材１５の位置に関しても同様である。また携帯電話機は折りたたみ式に限るものではないのは、勿論である。
【００３５】
図２は、本発明のレンズユニットを備えた撮像装置１００の斜視図である。同図の撮像装置１００が、図１における撮像装置Ｓに相当する。
【００３６】
図２に示すように撮像装置１００の外表面は、撮像素子の実装されたプリント基板１１と、携帯端末の他の制御基板に接続のためのコネクト基板１７、このプリント基板１１とコネクト基板１７を接続するフレキシブルプリントＦＰＣ、撮像光学系等を内包し側面に開口部１２ｋのある外枠部材１２、この外枠部材１２の上面に組み込まれる蓋部材１３、外枠部材１２に一体的に形成されたボス１２ｂ上に回動可能に取り付けられる操作部材１５、操作部材１５を回動可能に固定する段付きネジ１６で構成されている。
【００３７】
図３は、撮像装置１００を図２に示すＤ−Ｄ線で切断した断面図である。
【００３８】
図３に示すように、外枠部材１２の内部は、第１レンズ１、撮像光学系の開口Ｆ値を決める開口絞り４、第２レンズ２、不要光遮断のための固定絞り５、第３レンズ３、で構成された撮像光学系５０（以下、レンズユニットと称す）と、台座６、赤外光カットフィルタ７、プリント基板１１上に実装された撮像素子８、弾性部材である圧縮コイルバネ９、座金１０、蓋部材１３で構成されている。
【００３９】
同図において、台座６は、像面側には撮像素子に当接する脚部６ｄが形成されている。またレンズユニット５０側には高さの異なる水平面６ａ、６ｂと、この水平面を連続的に繋ぐ傾斜面６ｃ（以下、カム面と称す）が３箇所に略１２０°間隔で形成されている。また、台座６の側面には凹部６ｅが形成されており、外枠部材１２の内周には台座６の凹部６ｅに嵌合し、台座６の位置決めと回動を禁止する凸部１２ｅが少なくとも１箇所に形成されている。
【００４０】
レンズユニット５０を構成する第３レンズ３の撮像面側には、突起３ａが略１２０°間隔で形成され、台座６に形成されたカム面に対応して配置されており、この突起３ａにより台座６のカム面と当接している。また、第３レンズ３の側面の外枠部材１２の開口部１２ｋに面した部位には歯車部３ｇが形成されている。
【００４１】
更に、第３レンズ３のフランジ部の物体側には座金１０が配置され、圧縮コイルバネ９が蓋部材１３と座金１０の間に組み込まれている。この圧縮コイルバネ９によりレンズユニット５０と、台座６は撮像素子８方向に付勢される。
【００４２】
一方、段付きネジ１６により回動可能とされている操作部材１５に形成された歯車部１５ｇは、第３レンズ３の歯車部３ｇと噛み合うよう配置されている。図１に示す携帯端末Ｔの開口部７４から露出した、この操作部材１５の先端部１５ｒが使用者により操作される部位である。
【００４３】
以上のように構成された撮像装置１００の動作について説明する。
【００４４】
操作部材１５の先端部１５ｒを操作することにより、操作部材１５は段付きネジ１６を中心に回動し、歯車部１５ｇに噛み合った第３レンズ３の歯車部３ｇによって第３レンズ３は回動する。このため略１２０°間隔で配置された突起部３ａは、台座６に略１２０°間隔で配置されたカム面の水平面６ａから傾斜面６ｃを経て撮像素子８から離間した水平面６ｂへ移動する。これによりレンズユニット５０は、光軸方向に所定量移動し、近距離撮影に適した位置に設定される。
【００４５】
この時、圧縮コイルバネ９は、レンズユニット５０及び当接する台座６を撮像素子８側へ終始付勢している。このためレンズユニット５０は、どのような姿勢であっても撮像素子８との間隔を常に一定に、傾くことの無い、マクロ撮影可能な撮像装置となっている。
【００４６】
また、レンズユニット５０が弾性部材９を介して外枠部材１２内に保持されていることにより、撮像装置１００の移送時や携帯端末への組み込み時に外枠部材１２に衝撃や外圧がかかった場合にも内部のレンズユニット５０や台座６に直接的に力が伝わらず、主要部であるレンズユニット５０と台座６に狂いの無い信頼性の高い撮像装置となっている。
【００４７】
（第一の実施の形態）
本発明に係るレンズユニットの第一の実施の形態について以下に説明する。
【００４８】
図４は、本発明の第一の実施の形態に係るレンズユニット５０を示す断面図である。
【００４９】
同図に示すレンズユニット５０は、第１レンズ１、第２レンズ２、第３レンズ３を、光学有効面以外のフランジ部で相互に当接させ、例えば紫外線硬化型接着剤等で互いに固着することで一体化されユニット化されている。
【００５０】
即ち、第３レンズ３の光学有効面以外のフランジ部のうち光軸Ｏに垂直な面３ｈと第２レンズ２の光学有効面以外のフランジ部のうち光軸Ｏに垂直な面２３ｈが当接し、第３レンズ３のフランジ部の内周面３ｖと第２レンズ２のフランジ部の周面２３ｖが嵌合した状態で接着固定され、更に、第２レンズ２の光学有効面以外のフランジ部のうち光軸Ｏに垂直な面２１ｈと第１レンズ１の光学有効面以外のフランジ部のうち光軸Ｏに垂直な面１ｈが当接し、第２レンズ２のフランジ部の内周面２１ｖと第１レンズ１のフランジ部の周面１ｖが嵌合した状態で接着固定され、一体化されたレンズユニット５０が形成される。
【００５１】
これら、第１レンズ１、第２レンズ２、第３レンズ３は、光学有効面及びフランジ部を一体的に形成されており、この３枚のレンズの部品精度により、他の部材を介さず、上述の嵌合によりそれぞれの光軸を一致させ、上述の当接により光軸方向のレンズ間隔を決めることができるようになっている。なお、ここで言う光軸を一致させるとは、光学要求性能を満たす程度、即ち、許容範囲内にその誤差が収まった状態をいうものである。
【００５２】
なお、同図では誇張して示しているが、開口絞り４と固定絞り５は、これらレンズが当接して接着された状態で、微小な隙間を有するように設定され形成されており、開口絞り４と固定絞り５がレンズ間の当接を阻害するようなことが無いようになっている。
【００５３】
このように、レンズのそれぞれに、光学有効面以外の部位で他のレンズと当接する当接部を一体的に形成し、レンズユニットを構成する各レンズの当接部がそれぞれ当接し、かつ、各レンズの光軸が一致した状態とし、接着固定して一体化することにより、容易に誤差を最少に抑えて組み立てることができるようになる。
【００５４】
更に、他の部材、例えばこれらレンズを保持する鏡枠が不要とできるため、誤差の介入が無いだけでなく、組み立て後の個体差ばらつきの極めて少ない、レンズユニットを低コストで得ることができる。
【００５５】
更に、第３レンズ３に形成された突起３ａは、同図に示すように像面側の光学有効面以外の部位で、像面側の光学有効面よりも突出した状態（図４では突出量Ｇで示す）に設定され、形成されることが望ましい。このようにすることで、接着固定され一体化されたレンズユニットを取り置いた際に、この突起３ａによりレンズユニットが支持され、第３レンズ３の光学有効面の接触を防止し傷等から保護することができる。
【００５６】
なお、上述のレンズのフランジ部に形成した当接部及び嵌合部は、円筒状または切り欠き部を有する櫛歯状に形成してもよく、また略１２０度間隔で３箇所のみに形成してもよいのは勿論である。
【００５７】
（第二の実施の形態）
本発明に係るレンズユニットの第二の実施の形態について以下に説明する。第二の実施の形態のレンズユニットを備えた撮像装置も図２に示したものと同様である。
【００５８】
図５は、本発明に係る第二の実施の形態のレンズユニット５０の一例を示す断面図である。
【００５９】
同図に示すレンズユニット５０は、図４に示すレンズユニットと第１レンズ１の組み付け工程のみが異なるものである。即ち、第３レンズ３と第２レンズ２は、図４で説明したのと同様に、光学有効面以外のフランジ部のうち光軸Ｏに垂直な相互の当接部を当接させると共に、フランジ部の周面で嵌合した状態で接着固定される。
【００６０】
第１レンズ１と第２レンズ２については、以下のように組み立てられる。
【００６１】
第２レンズ２の光学有効面以外のフランジ部のうち光軸Ｏに垂直な面２１ｈと第１レンズ１の光学有効面以外のフランジ部のうち光軸Ｏに垂直な面１ｈが当接するよう組み置かれる。一方、第２レンズ２のフランジ部の内周面２１ｖと第１レンズ１のフランジ部の周面１ｖは、図示のように、その直径がそれぞれφＡ、φＢと異なり、この直径の差をＣとすると、Ｃは、
２０μｍ≦Ｃ≦３００μｍ
を満足するように、形成されている。即ち、このＣの量だけ第１レンズ１は第２レンズ２に当接した状態で光軸に垂直な面内の任意の方向に摺動が可能とされている。この状態で、第２レンズ２及び第３レンズ３との相対的位置（平行偏心）を調整し、平行偏心量を５μｍ〜１０μｍ以内に収める、所謂、調心をおこなう。即ち、この摺動量は、この５μｍ〜１０μｍの２倍程度を最少とし、レンズのフランジ部の外形が大型化しないように３００μｍ程度を最大とするものである。なお、摺動可能な量であるＣは、３０μｍ以上、１００μｍ以下とすれば、より望ましい。
【００６２】
この、調心の方法については、日本写真学会誌、５８巻５号（１９９５、平７）Ｐ４３２〜Ｐ４３７、に詳述されているが、本発明の場合は、例えば透過式のＡＸＣＭ量検出方式が適用されることが好ましい。
【００６３】
この、調心後に第１レンズ１は第２レンズ２に、例えば紫外線硬化型接着剤で接着固定され一体化されてレンズユニットとして完成する。
【００６４】
このように、レンズユニットを構成するレンズに、それぞれ光学有効面以外の部位に他のレンズと当接する当接部を一体的に形成し、少なくとも１枚のレンズは、他のレンズと当接した状態で、光軸に垂直な方向に摺動可能となるよう形成し、調心後に接着固定して一体化することで、より光軸の一致度を向上させることができ、且つ、これらレンズを保持する鏡枠が不要なため、組み立て後の個体差ばらつきの極めて少ない、レンズユニットを低コストで得ることができる。
【００６５】
また、この調心するレンズは、偏心した時の誤差感度が最も高いレンズにすることが望ましく、これにより摺動可能となされた当接部を１箇所とすることができ、調心の工数を最少にして、最も効率よく光学性能を向上させることができ、低コストで個体差ばらつきの極めて少ない、レンズユニットを得ることができる。即ち、本例では、第１レンズ１が他のレンズに対して偏心した時の誤差感度が最も高く、この第１レンズ１を調心する例で説明したが、誤差感度が最も高いレンズが他のレンズである場合には、その誤差感度が最も高いレンズを調心することが望ましいということである。
【００６６】
なお、誤差感度とは、偏心量に対する、光学性能の劣化の度合いであり、劣化の度合いの大きいものを誤差感度が高いと称している。
【００６７】
なお、固定絞り５は、第２レンズ２と第３レンズ３との当接を妨げないように厚みが設定され、開口絞り４は、第２レンズ２と第１レンズ１の当接を妨げず、且つ第１レンズ１の摺動に干渉しないよう設定されているのは勿論である。
【００６８】
また、先に第２レンズ２に第１レンズを組み置いて、調心後接着固定し、この後、第３レンズ３を当接、嵌合させる順序でレンズユニットを組み立ててもよい。
【００６９】
図６は、本発明に係る第二の実施の形態のレンズユニット５０の別の例を示す断面図である。本例は、図５に示したものと異なる部分についてのみ説明する。
【００７０】
同図は、第２レンズ２のフランジ部の内周面２１ｖを第１レンズ方向に形成し、第１レンズ１のフランジ部の外周面１ｖとを、図示のように直径がφＡ、φＢとなるよう形成したものであり、同様に、この直径の差を２０μｍ以上で３００μｍ以下とし、第１レンズ１をこの範囲内で光軸と直交する方向に摺動可能としたものである。
【００７１】
図７は、本発明に係る第二の実施の形態のレンズユニット５０のその他の例を示す断面図である。本例も、図５に示したものと異なる部分についてのみ説明する。
【００７２】
同図は、第２レンズ２のフランジ部の周面２１ｖを第１レンズ方向の第１レンズ１の内側になるよう形成し、第１レンズ１のフランジ部は周面１ｖが被さるように形成したものである。この場合も図示のように、直径がφＡ、φＢとなるよう形成し、この直径の差を２０μｍ以上で３００μｍ以下とし、第１レンズ１をこの範囲内で光軸と直交する方向に摺動可能としたものである。
【００７３】
なお、この第二の実施の形態においても、同様に、第３レンズ３の像面側の光学有効面以外の部位で、像面側の光学有効面よりも突出した状態に突起を設けることが望ましい。このようにすることで、接着固定され一体化されたレンズユニットを取り置いた際に、この突起によりレンズユニットが支持され、第３レンズ３の光学有効面の接触を防止し傷等から保護することができる。
【００７４】
加えて、上述の第一及び第二の実施の形態におけるレンズユニットを構成する各レンズは、金型により成形して形成することが好ましく、高精度の寸法で当接部及び嵌合部等を一体に形成でき低コスト化することが可能となる。また、携帯端末に搭載される撮像装置は薄型であることを要求されることと、撮像素子への光束の入射角はマイクロレンズの配列ピッチの関係で比較的小さくすることが必要で、レンズユニットの各レンズの光学有効面の直径は、像面側で大きく、物体側になるほど小さくなり、像面側から、その光学有効面の直径の大きい順で配置し、この直径差を利用して当接部、嵌合部又は摺動部を効率よく形成することで、レンズユニットの直径を小さく保つことができる。ここでいう、レンズの光学有効面の直径とは、１枚のレンズを構成する２つの光学有効面のうち、大きい方をいうものである。
【００７５】
なお、上述の説明では、３枚構成のレンズユニットで説明したが、本発明は３枚に限らず、３枚以上で構成されるレンズユニットに適用可能なのは勿論である。また、マクロ撮影の可能な撮像装置に搭載されるレンズユニットを例に挙げ説明したが、これに限るものでなく、固定焦点式の撮像装置に搭載されるレンズユニットにも適用可能なのは言うまでもない。更に、携帯端末用の撮像装置として説明したが、本発明のレンズユニットは、通常のカメラの撮影レンズを構成する一つのレンズ群として他のレンズ群と組み合わせて用いるような構成にも適用可能であるのは勿論である。
【図面の簡単な説明】
【００７６】
【図１】本発明の撮像装置を内蔵した携帯端末の一例である携帯電話機Ｔの外観を示す図である。
【図２】本発明の第一の実施の形態のレンズユニットを備えた撮像装置の斜視図である。
【図３】撮像装置を図２に示すＤ−Ｄ線で切断した断面図である。
【図４】本発明の第一の実施の形態に係るレンズユニットを示す断面図である。
【図５】本発明に係る第二の実施の形態のレンズユニットの一例を示す断面図である。
【図６】本発明に係る第二の実施の形態のレンズユニットの別の例を示す断面図である。
【図７】本発明に係る第二の実施の形態のレンズユニットのその他の例を示す断面図である。
【符号の説明】
【００７７】
１  第１レンズ
２  第２レンズ
３  第３レンズ
４  開口絞り
５  固定絞り
６  台座
７  赤外光カットフィルタ
８  撮像素子
９  圧縮コイルバネ
１０  座金
１１  プリント基板
１２  外枠部材
１３  蓋部材
１５  操作部材
１６  段付きネジ
１７  コネクト基板
５０  レンズユニット
１００  撮像装置
ＦＰＣ  フレキシブルプリント基板
【図１】
2005018024.tif 000003
【図２】
2005018024.tif 000004
【図３】
2005018024.tif 000005
【図４】
2005018024.tif 000006
【図５】
2005018024.tif 000007
【図６】
2005018024.tif 000008
【図７】
2005018024.tif 000009